(57)【要約】【課題】大型にしても折り畳みが容易であり、膨らませたときに略円筒状とすることが可能なガゼット袋を提供する。【解決手段】前面壁１２の幅方向の側端部１２ａ，１２ｂと後面壁１３の幅方向の側端部１３ａ，１３ｂとの間を接続して、その間の少なくとも１箇所で幅方向の内方に折り込まれるガゼット部を構成する側面壁１８，１９を備え、前面壁１２及び後面壁１３は、上下両端部に近づくほど幅が狭くなる斜辺部に沿ってシールされた斜辺シール部を有し、第１の側面壁１８の有するガゼットの幅方向の内方に折り込まれる箇所数をＧ１、第２の側面壁１９の有するガゼットの幅方向の内方に折り込まれる箇所数をＧ２、これらに前面壁及び後面壁の個数を加えた数をＮ＝Ｇ１＋Ｇ２＋２として、斜辺シール部の成す角度θが８０°以下、Ｇ１またはＧ２の少なくとも一方が２以上、Ｎが５以上、積Ｎθが２８０〜４００°の範囲内である。【選択図】図３
2019094102.tif 000002
【特許請求の範囲】
【請求項１】
前後に対向する前面壁及び後面壁と、
前記前面壁の幅方向の一方の側端部と前記後面壁の幅方向の一方の側端部との間を接続して、その間の少なくとも１箇所で前記幅方向の内方に折り込まれるガゼット部を構成する第１の側面壁と、
前記前面壁の幅方向の他方の側端部と前記後面壁の幅方向の他方の側端部との間を接続して、その間の少なくとも１箇所で前記幅方向の内方に折り込まれるガゼット部を構成する第２の側面壁と、を備え、
前記前面壁及び前記後面壁は、上下両端部に近づくほど幅が狭くなる斜辺部に沿ってシールされた斜辺シール部を有し、
前記第１の側面壁の有するガゼットの前記幅方向の内方に折り込まれる箇所数をＧ１、前記第２の側面壁の有するガゼットの前記幅方向の内方に折り込まれる箇所数をＧ２、これらに前記前面壁及び前記後面壁の個数を加えた数をＮ＝Ｇ１＋Ｇ２＋２として、前記幅方向の両側に対応する前記斜辺シール部の成す角度θが８０°以下であり、前記Ｇ１または前記Ｇ２の少なくとも一方が２以上であり、前記Ｎが５以上であり、前記θと前記Ｎとの積であるＮθが２８０〜４００°の範囲内であることを特徴とするガゼット袋。
【請求項２】
前記第１の側面壁または前記第２の側面壁のうち、前記幅方向の内方に折り込まれる箇所数が２以上である側面壁は、前記ガゼット部のそれぞれが異なる側面フィルムから構成され、
前記側面フィルムのそれぞれが、前記幅方向の内方に折り込まれる部分に折り線を有し、前記折り線を介した両方の側端部は、前記前面壁と前記後面壁との間で順に隣接するフィルムの側端部と、各フィルムの内面同士のシールにより接合されていることを特徴とする請求項１に記載のガゼット袋。
【請求項３】
前記第１の側面壁及び前記第２の側面壁は、前記幅方向の内方に折り込まれる箇所数を同数とすることを特徴とする請求項１または２に記載のガゼット袋。
【請求項４】
前記Ｎが５〜１０であることを特徴とする請求項１〜３のいずれか１項に記載のガゼット袋。
【請求項５】
前記前面壁または前記後面壁は、前記上下両端部の少なくとも一方において、前記幅方向に対向する前記斜辺シール部の間に注出口を有することを特徴とする請求項１〜４のいずれか１項に記載のガゼット袋。
【請求項６】
請求項１〜５のいずれか１項に記載の培養細胞、バイオ医薬品、再生医療等製品のいずれかの製造用もしくは保存用のガゼット袋。
【発明の詳細な説明】
【技術分野】
【０００１】
本発明は、ガゼット袋に関する。
【背景技術】
【０００２】
特許文献１には、ガゼット袋を用いた振とう型培養装置が開示されている。
特許文献２には、ガゼット袋を用いたバッグインボックスが開示されている。
特許文献３には、円筒型のドラム缶用内袋を用いた培養装置が開示されている。
特許文献４には、天面に注出口を設けたドラム缶用内袋が開示されている。
【先行技術文献】
【特許文献】
【０００３】
【特許文献１】特開２０１６−１３６９２８号公報
【特許文献２】特開２００１−２５３４７４号公報
【特許文献３】特開２００７−２８２６２９号公報
【特許文献４】特開２００５−２９８０３８号公報
【発明の概要】
【発明が解決しようとする課題】
【０００４】
培養、輸送、保管等の各種用途の容器として用いる場合、従来のガゼット袋は、内容物を充填して膨らませたとき、特許文献１，２に記載のように略直方体状となる。このため、袋を大型にすると、略直方体の角部において内容物の注出や混合が容易でないという問題があった。
【０００５】
略円筒状の袋として、特許文献３，４に記載のように、上下に天面及び底面を有するドラム缶用内袋が知られている。しかし、袋を大型にすると、天面及び底面の折り畳みが容易でないという問題があった。
また、従来のガゼット袋やドラム缶用内袋は、既存のフィルム幅では大型の袋の製造が困難となる場合があった。
【０００６】
本発明は、上記事情に鑑みてなされたものであり、大型にしても折り畳みが容易であり、膨らませたときに略円筒状とすることが可能なガゼット袋を提供することを課題とする。
【課題を解決するための手段】
【０００７】
前記課題を解決するため、本発明は、前後に対向する前面壁及び後面壁と、前記前面壁の幅方向の一方の側端部と前記後面壁の幅方向の一方の側端部との間を接続して、その間の少なくとも１箇所で前記幅方向の内方に折り込まれるガゼット部を構成する第１の側面壁と、前記前面壁の幅方向の他方の側端部と前記後面壁の幅方向の他方の側端部との間を接続して、その間の少なくとも１箇所で前記幅方向の内方に折り込まれるガゼット部を構成する第２の側面壁と、を備え、前記前面壁及び前記後面壁は、上下両端部に近づくほど幅が狭くなる斜辺部に沿ってシールされた斜辺シール部を有し、前記第１の側面壁の有するガゼットの前記幅方向の内方に折り込まれる箇所数をＧ１、前記第２の側面壁の有するガゼットの前記幅方向の内方に折り込まれる箇所数をＧ２、これらに前記前面壁及び前記後面壁の個数を加えた数をＮ＝Ｇ１＋Ｇ２＋２として、前記幅方向の両側に対応する前記斜辺シール部の成す角度θが８０°以下であり、前記Ｇ１または前記Ｇ２の少なくとも一方が２以上であり、前記Ｎが５以上であり、前記θと前記Ｎとの積であるＮθが２８０〜４００°の範囲内であることを特徴とするガゼット袋を提供する。
【０００８】
前記第１の側面壁または前記第２の側面壁のうち、前記幅方向の内方に折り込まれる箇所数が２以上である側面壁は、前記ガゼット部のそれぞれが異なる側面フィルムから構成され、前記側面フィルムのそれぞれが、前記幅方向の内方に折り込まれる部分に折り線を有し、前記折り線を介した両方の側端部は、前記前面壁と前記後面壁との間で順に隣接するフィルムの側端部と、各フィルムの内面同士のシールにより接合されていてもよい。
【０００９】
前記第１の側面壁及び前記第２の側面壁は、前記幅方向の内方に折り込まれる箇所数を同数としてもよい。
前記Ｎが５〜１０であってもよい。
前記前面壁または前記後面壁は、前記上下両端部の少なくとも一方において、前記幅方向に対向する前記斜辺シール部の間に注出口を有してもよい。
【００１０】
培養細胞、バイオ医薬品、再生医療等製品のいずれかの製造用もしくは保存用のガゼット袋であってもよい。
【発明の効果】
【００１１】
本発明のガゼット袋は、側面壁の少なくとも一方に、少なくとも２以上のガゼット部を有するので、大型にしても折り畳みが容易であり、膨らませたときに略円筒状とすることが可能である。また、ガゼット部のそれぞれが異なる側面フィルムから構成される場合、既存のフィルム幅で作製できない大きさのバッグも容易に製造が可能となる。
【図面の簡単な説明】
【００１２】
【図１】ガゼット袋を折り畳んだ状態の一例を示す正面図である。
【図２】ガゼット袋を膨らませた状態の一例を示す斜視図である。
【図３】図１のＩＩＩ−ＩＩＩ線に沿う横断面図である。
【図４】図２のＩＶ−ＩＶ線に沿う横断面図である。
【図５】ガゼット袋の上下両端部を示す部分拡大図である。
【図６】培養容器を収容する外殻容器の一例を示す斜視図である。
【図７】培養装置の一例を示す斜視図である。
【発明を実施するための形態】
【００１３】
以下、好適な実施形態に基づき、図面を参照して本発明を説明する。
図１に、本実施形態のガゼット袋を折り畳んだ状態の一例を示す。また、図２に、本実施形態のガゼット袋を膨らませた状態の一例を示す。本実施形態のガゼット袋１０は、前後に対向する前面壁１２及び後面壁１３と、前面壁１２と後面壁１３との間を接続する側面壁１８，１９と、を備えている。左右の側面壁１８，１９は、それぞれ前側の側面フィルム１４と、後側の側面フィルム１５を備えている。
【００１４】
前面壁１２と前側の側面フィルム１４との間、前後の側面フィルム１４，１５の間、及び後面壁１３と後側の側面フィルム１５との間は、それぞれシール部１１により接合されている。また、前面壁１２及び後面壁１３は、上下両端部に近づくほど幅が狭くなる斜辺部に沿ってシールされた斜辺シール部１１ｂを有する。斜辺シール部１１ｂは、側面フィルム１４，１５の間のシール部１１にも含まれている。上下の斜辺シール部１１ｂの間は、フィルムの側端部同士が側端シール部１１ａにより接合されている。
【００１５】
前面壁１２、後面壁１３、側面フィルム１４、１５のいずれかに、注出口１６を有する構成とすることができ、なかでも前面壁１２、後面壁１３のいずれかに注出口１６を有する構成とすることが好ましい。前面壁１２、後面壁１３のいずれかに注出口１６を有する構成とするときは、上下両端部の少なくとも一方において、幅方向に対向する左右の斜辺シール部１１ｂ，１１ｂの間に注出口１６を有することが好ましい。注出口１６には、チューブ１７が取り付けられていてもよい。
本実施形態のガゼット袋は図１に示すように従来のガゼット袋よりも縦長であるため、材料となる樹脂フィルムも縦長とすることができる。そのため幅手方向に長さの制限のあるロール状の樹脂フィルムを用いて本実施形態のガゼット袋を製造するときであっても、大きな容量のガゼット袋を製造することができるという利点がある。
【００１６】
図３に、ガゼット袋を折り畳んだ状態の横断面図を示す。また、図４に、ガゼット袋を膨らませた状態の横断面図を示す。
第１の側面壁１８は、前面壁１２の幅方向の一方の側端部１２ａと、後面壁１３の幅方向の一方の側端部１３ａとの間を接続している。第１の側面壁１８は、これらの側端部１２ａ，１３ａの間の少なくとも１箇所で幅方向の内方に折り込まれるガゼット部である。
第２の側面壁１９は、前面壁１２の幅方向の他方の側端部１２ｂと、後面壁１３の幅方向の他方の側端部１３ｂとの間を接続している。第２の側面壁１９は、これらの側端部１２ｂ，１３ｂの間の少なくとも１箇所で幅方向の内方に折り込まれるガゼット部である。
【００１７】
側面壁１８，１９において、幅方向の内方に折り込まれるガゼット部のそれぞれが異なる側面フィルム１４，１５から構成されている。この場合、それぞれの側面フィルム１４，１５は、前面壁１２及び後面壁１３と幅が略同等のフィルムから構成することができる。それぞれの側面フィルム１４，１５は、幅方向の内方に折り込まれる部分に折り線１４ｃ，１５ｃを有する。また、側面フィルム１４，１５は、折り線１４ｃ，１５ｃを介した両側に、前側の側端部１４ａ，１５ａと、後側の側端部１４ｂ，１５ｂを有する。ガゼット袋が６枚（後述するＮと同数）のフィルムから構成されるため、図２及び図４に示すように膨らませた状態では周囲の長さがフィルム幅の６倍で、大容量のバッグが得られる。
【００１８】
前側の側面フィルム１４のうち前側の側端部１４ａは、それぞれ前面壁１２の側端部１２ａ，１２ｂに接合されている。前側の側面フィルム１４のうち後側の側端部１４ｂは、それぞれ後側の側面フィルム１５のうち前側の側端部１５ａに接合されている。後側の側面フィルム１５のうち後側の側端部１５ｂは、それぞれ後面壁１３の側端部１３ａ，１３ｂに接合されている。このように、前側の側面フィルム１４の側端部１４ａ，１４ｂは、隣接する前面壁１２及び側面フィルム１５の側端部１２ａ，１２ｂ，１５ａと接合されている。また、後側の側面フィルム１５の側端部１５ａ，１５ｂは、隣接する後面壁１３及び側面フィルム１４の側端部１３ａ，１３ｂ，１４ｂと接合されている。側端部１２ａ，１２ｂ，１３ａ，１３ｂ，１４ａ，１４ｂ，１５ａ，１５ｂ同士の各シール部は、フィルムの内面同士を対向させたシールにより構成されている。
【００１９】
なお、側面フィルム１４，１５間をシール部で接合する代わりに、各側面壁１８，１９を１枚のフィルムから構成することも可能である。この場合、各側面壁１８，１９は、Ｖ字状に折り畳まれた２枚の側面フィルム１４，１５の代わりに、Ｗ字状に折り畳まれた１枚のフィルムからなり、幅方向の内方に折り込まれる折り線と、幅方向の外方に折り込まれる折り線とを、交互に有する。幅方向の外方に折り込まれる折り線に沿ってシール部が設けられてもよく、外方のシール部が省略されてもよい。
【００２０】
第１の側面壁１８の有するガゼットの幅方向の内方に折り込まれる箇所数をＧ１、第２の側面壁１９の有するガゼットの前記幅方向の内方に折り込まれる箇所数をＧ２、これらに前面壁１２及び後面壁１３の個数（すなわち２）を加えた数をＮ＝Ｇ１＋Ｇ２＋２として、本実施形態の場合は、Ｇ１＝２であり、Ｇ２＝２であり、Ｎ＝６である。
【００２１】
第１の側面壁１８の有するガゼットの個数Ｇ１と第２の側面壁１９の有するガゼットの個数Ｇ２は、異なってもよいが、Ｇ１＝Ｇ２と同数であることが好ましい。Ｎは４より大きい数であり、例えば、５〜１０であってもよい。Ｎが７、８、９等でもよく、６〜８がより好ましい。Ｇ１またはＧ２の少なくとも一方が２以上であれば、Ｇ１またはＧ２の一方が１であってもよい。なお、特許文献１，２に開示されるガゼット袋の場合、Ｇ１＝１であり、Ｇ２＝１であり、Ｎ＝４である。
【００２２】
前面壁１２及び後面壁１３の上下両端部において、幅方向の両側に対応する斜辺シール部１１ｂの成す角度θが、例えば８０°以下であり、７２°以下とすることができる。θの下限は２０°以上とすることができ、３０°以上であることが好ましい。Ｎ＝５の場合は、θは約７２°とすることができ、Ｎ＝６の場合、θは約６０°とすることができる。角度θと数Ｎとの積であるＮθが２８０〜４００°の範囲内である。これにより、図２及び図４に示すようにガゼット袋１０を膨らませたとき、Ｎ個の壁面が図３に示すように略Ｎ角柱状の筒面を構成し、Ｎ個の壁面の上下両端部が、略３６０°の端面を構成する。ここで、上端部により構成される端面は天面であり、下端部により構成される端面は底面である。Ｎθの値を３６０°としたときは、膨らませたガセット袋の天面や底面は平面に近づく。Ｎθの値を３６０°未満とすると、膨らませたガゼット袋の天面や底面は凸状もしくは凹状になる。凸状となると、天面が多角錐状となり、とんがり帽子のような形状となる。Ｎθの値を３６０°よりも大きな値とすると、天面や底面はシワが入った形状となりやすい。Ｎθは３００°以上であることが好ましく、３２０°以上であることがさらに好ましい。このような値をとることによりガゼット袋の天面や底面が平面に近づく。また、Ｎθは４００°以下であることが好ましく、３６０°以下であることがさらに好ましい。このような値を取ることにより天面や底面にシワの入らないガゼット袋とすることができる。
【００２３】
本実施形態のガゼット袋１０は、バッグインボックス等の輸送容器、保管容器等の包装容器に限らず、培養容器、反応容器等としても用いることができる。本実施形態のガゼット袋１０は、膨らませた状態で略円柱状となるので、円筒状の外装容器または外殻容器にぴったりと収容させることができる。内面が略円柱状となるので、注出、撹拌、混合などが容易になる。
【００２４】
また、図５に示すように、ガゼット袋１０の上下両端部は、左右の斜辺シール部１１ｂ，１１ｂの間で、前面壁１２の内面と後面壁１３の内面とが直接対向して接合された先端シール部１１ｃを有してもよい。これにより、前面壁１２及び後面壁１３の間で、側面フィルム１４，１５を容易に折り畳むことができる。
【００２５】
ガゼット袋１０は、二重袋や三重袋などの多重袋であってもよい。この場合、液体が漏れにくいのでより好ましい。本実施形態のガゼット袋１０を多重袋とする場合には、内側のガゼット袋の各側面部と外側のガゼット袋の各側面部とが重なり合うとき、ガゼットの個数及び位置が対応することが好ましい。
【００２６】
ガゼット袋１０を構成するフィルムの材質は特に限定されないが、ポリスチレン、ポリアミド、ポリエステル、ポリオレフィン等の熱可塑性樹脂や、これらの積層体フィルムを用いることにより、作られる医薬品の製品品質の担保を容易にすることができる。多重袋の場合、内側のガゼット袋と外側のガゼット袋の材質が異なってもよい。例えば、内側のガゼット袋がポリエチレン（ＰＥ）の単層フィルム、外側のガゼット袋がポリエチレン（ＰＥ）／ナイロン（Ｎｙ）／ポリエチレンテレフタレート（ＰＥＴ）の多層フィルムから構成されてもよい。ガゼット袋を構成する部位に応じて、各フィルムの厚さが異なってもよい。
【００２７】
ガゼット袋１０の容量（大きさ）は特に限定されないが、例えば０．１Ｌ〜５０００Ｌの大きさとすることができ、好ましくは１００〜３０００Ｌである。ガゼット袋１０は、シングルユース（使い捨て）であってもよい。例えば、容量が２０Ｌのとき、横１６０ｍｍ程度、縦４００ｍｍ程度としてもよい。また、容量が２００Ｌのとき、横８００ｍｍ程度、縦２８００ｍｍ程度としてもよい。さらに寸法を大きくすれば、５００〜３０００Ｌ程度の容量にも対応可能である。
【００２８】
ガゼット袋１０には、培地や雰囲気ガス等の内容物の追加、取り出し等の目的で、複数のチューブ１７を連結することができる。また、ガゼット袋１０は、注出口１６を備えることができる。注出口１６には、コック、キャップ、先細り状の注ぎ口等を設けることもできる。注出口１６にチューブ１７を連結してもよい。本実施形態の場合、注出口１６の基部がフィルムの裏側にシールされることにより、注出口１６がガゼット袋１０に固定されている。
【００２９】
チューブの材質は特に限定されないが、シリコーン、熱可塑性エラストマー等、耐薬品性、耐候性等に優れる材質が好ましい。チューブには、フィルター、フローモニター、流量計、バルブ、ポンプ等を設けてもよい。
【００３０】
本実施形態のガゼット袋は細胞の培養（培養細胞の製造）もしくは保存に好適であり、またバイオ医薬品や再生医療等製品の製造プロセスにおいて撹拌もしくは保存を行うことができる。
バイオ医薬品は、生物を用いて製造または抽出または半合成等をされた医薬品である。再生医療等製品は、（１）人または動物の細胞に培養等の加工を施したものであって、身体の構造または機能の再建または修復または形成するもの、または、（２）人または動物の細胞に培養等の加工を施したものであって、疾病の治療または予防を目的として使用するもの、または、（３）遺伝子治療を目的として、人の細胞に導入して使用するものである。
本実施形態のガゼット袋に前記の細胞や医薬品、医薬品や再生医療等製品の中間体を入れ、培養や撹拌をする際には、せん断応力がかかりにくいという利点がある。また、本実施形態のガゼット袋に入れて保存を行うと、本実施形態のガゼット袋は立方体のガゼット袋に比べて内容物の体積に対する壁面の割合が少ないため、容器表面に起因する劣化が起こりづらくなるという利点がある。
【００３１】
本実施形態のガゼット袋を用いて、例えば図６に示すような外殻容器２０を持つ、図７に示すような振とう型培養装置３０を用いて細胞の培養を行うことができる。本実施形態のガゼット袋を用いて振とう型培養装置３０を用いて振とう培養を行うと、培養袋となるガゼット袋の内部の液体に含まれる細胞に撹拌によるシェア（せん断応力）がかかりにくくなる。これは、本実施形態のガゼット袋が従来の立方体状のガゼット袋よりも、より円柱に近いガゼット袋となるために外殻容器にフィットしやすく、ガゼット袋にシワが寄りにくくなり、振とう撹拌を行ったときに内部の溶液が流動しやすくなり、低せん断応力を実現できるためである。これにより振とう撹拌における細胞の死滅を防ぐことができ、効率のよい培養を達成することができる。
図６は図７に示す振とう型培養装置に含まれる、外殻容器２０の一例である。外殻容器２０は、ガゼット袋１０を保護するため、ガゼット袋１０全体を収容することができる。外殻容器の構成は特に限定されないが、図６の外殻容器２０は、側壁部２１ａ及び底壁部２１ｂを有する容器本体２１と、側壁部２１ａの上方開口部を閉鎖する蓋部２２とを備える。側壁部２１ａによりガゼット袋１０の上下方向で全体又は大部分を収容できる場合、蓋部２２を省略してもよい。ガゼット袋１０の側面の下部を容器本体２１で覆い、ガゼット袋１０の側面の上部を蓋部２２で覆うこともできる。
【００３２】
内部の温度変動を抑制するためには、外殻容器２０に対して培養袋を出し入れするための開口部を蓋部２２で閉鎖することが好ましい。蓋部２２は、容器本体２１から分離可能な取り外し式でもよく、ヒンジ等により容器本体２１に対して開閉可能に連結されてもよい。外殻容器２０（例えば、容器本体２１及び蓋部２２）の材質は、培養袋を保護可能な硬さ（剛性）を有することが好ましく、例えば、ステンレス等の金属、樹脂、木材、集成材、繊維強化プラスチック等の複合材料が挙げられる。外殻容器の内部空間は円柱形状であり、外殻容器の底面に円柱の円部分が位置することが、撹拌効率の観点から好ましい。内部空間の円柱の底面に位置する円の直径（内径）と円柱の高さとの比は、例えば１：２〜２：１である。内径と高さが同等（比が１：１）でもよい。
【００３３】
ガゼット袋１０を培養袋とする場合の内容物は、液体（培地）と気体を含むことが好ましい。気体と液体の容量比（気液容量比）は特に限定されず、液体が気体より多くても、気体が液体より多くてもよく、半々程度でもよい。気液容量比は、例えば１：９〜９：１の範囲が好ましい。ガゼット袋１０が少なくとも液体（培地）を収容する範囲の全体ないし大部分で、ガゼット袋１０が外殻容器２０に密着し、外殻容器２０がガゼット袋１０の側面を支持することが好ましい。ガゼット袋１０に気体が収容される部分では、ガゼット袋１０の上部（一部）が外殻容器２０の上（外）に露出されてもよい。
【００３４】
側壁部２１ａには、外殻容器２０に収容された培養袋の内容物の量（液面）を目視で確認するための窓２３を有する。窓２３は、側壁部２１ａの上下方向にスリット状の切れ目として設けられている。窓２３は、開口してもよく、透明な材料で閉鎖されてもよい。また、底壁部２１ｂ及び蓋部２２には、チューブ１７を通すための穴２４，２５を有する。本実施形態のガゼット袋を用いて培養を行うときは、図２の底面にある注出口１６にチューブ１７を接続し、図６に示す培養装置の外殻容器２０の穴２５に通して撹拌し培養を行うことができる。これにより、ガゼット袋の内容物が底面からチューブを介して排出しやすくなるため、排出作業を行いやすくなり好ましい。
【００３５】
外殻容器の振とう動作の一例として、外殻容器２０の平面形状は円形、立体形状は中心軸を略上下に向けた円柱であり、外殻容器２０の中心が半径Ｒの軌道上で回転（公転）してもよい。振とうの振幅は、例えば半径Ｒの２倍である。さらに外殻容器２０を中心周りに回転（自転）させてもよい。
振とうの際、培養袋を収容した外殻容器２０は、水平方向に回転することが好ましい。
本実施形態のガセット袋は、外箱として種々の外殻容器中に入れて使用をすることができる。外殻容器としては、球状、円柱状、多角柱状、立方体などの形状が挙げられるが、特に円柱状や多角柱状とすることが好ましく、ガゼット袋の形状に近い形状の外殻容器であることが好ましい。円柱状や多角柱状の外殻容器とすると、外殻容器を縦に積んだ際に強度が上がるという利点もある。外殻容器の材質は特に限定されないが、金属製、プラスチック製、段ボール製、木製等が挙げられる。
【００３６】
以上、本発明を好適な実施形態に基づいて説明してきたが、本発明は上述の実施形態に限定されるものではなく、本発明の要旨を逸脱しない範囲で種々の改変が可能である。
【符号の説明】
【００３７】
１０…ガゼット袋、１１…シール部、１１ｂ…斜辺シール部、１２…前面壁、１３…後面壁、１４，１５…側面フィルム、１６…注出口、１７…チューブ、１８…第１の側面壁、１９…第２の側面壁、２０…外殻容器、３０…振とう培養装置、３１…台部、３２…枠部、３３…動力源。
【図１】
2019094102.tif 000003
【図２】
2019094102.tif 000004
【図３】
2019094102.tif 000005
【図４】
2019094102.tif 000006
【図５】
2019094102.tif 000007
【図６】
2019094102.tif 000008
【図７】
2019094102.tif 000009